(57)【特許請求の範囲】
【請求項１】
機体と、この機体に設けられたミッション装置と、前記機体に回転可能に設けられ前記ミッション装置からの出力により回転駆動される耕耘ロータリーと、前記機体に設けられ前記耕耘ロータリーにて耕耘された耕耘土を畝立て成形する畝成形体と、この畝成形体にて畝立て成形される耕耘土に被散布物を局所散布する散布装置とを具備し、
前記散布装置は、前記機体に設けられ被散布物を収容するホッパーと、このホッパーに設けられこのホッパー内に収容された被散布物を導出する導出体と、この導出体の導出部に設けられこの導出体から導出される被散布物を前記畝成形体にて畝立て成形される耕耘土中に局所散布する散布体とを有し、
前記散布体は、この散布体の下端部にこの散布体の進行方向に対して後方に向かって開口した散布口を有し、この散布口の上縁部に防土フラップを後方に向かって突出し、この散布口の下縁部に被散布物を局所散布する位置を水平状に整地する水平状の整地面を形成した
ことを特徴とする畝立て局所散布機。
【請求項２】
防土フラップは、散布口の上縁部に軸支して上下方向に回動可能に突出した
ことを特徴とする請求項１記載の畝立て局所散布機。
【発明の詳細な説明】
【０００１】
【発明の属する技術分野】
本発明は、たとえば、レタス、白菜、キャベツ等の葉菜類を栽培する畝の成形と肥料・種子・農薬の粉粒状物の散布とを行なう畝立て局所散布機に関する。
【０００２】
【従来の技術】
従来、この種の葉菜類を栽培する畝成形作業機は、たとえば、機体にミッション装置を設け、前記機体に前記ミッション装置からの出力により回転駆動される耕耘ロータリーを設け、前記機体に前記耕耘ロータリーにて耕耘された耕耘土を畝立て成形する畝成形体を設け、前記機体に前記耕耘ロータリーの進行方向の前方の未耕地上に肥料を全面に施肥する散布装置を設けた構成、また、機体に耕耘ロータリー及び畝成形体を設けた構成において前記機体に前記耕耘ロータリーの進行方向の後方の耕耘土上に肥料を全面に施肥する散布装置を設けた構成となっている。
【０００３】
また、葉菜類を栽培する畝成形作業機は、たとえば、機体に耕耘ロータリー及び畝成形体を設けた構成において前記機体に前記耕耘ロータリーにて耕耘された耕耘土上に種子を播種する散布装置を設けた構成となっている。さらに、農薬作業機では、粉粒状の農薬を施用する散布装置を設けた構成もある。
【０００４】
【発明が解決しようとする課題】
前記畝成形作業機の肥料を全面施肥する構成では、いずれも耕耘ロータリーの進行方向の前方の未耕地上、また、耕耘ロータリーの進行方向の後方の耕耘土上に肥料を全面施肥するものであるため、施肥量を多く必要とし、畝成形体にて成形された畝の全層及び肥料を必要としない畝溝部にまで肥料が拡散した状態になり易く、施肥量に比べて施肥効率が低く、畝に植え付けた作物が有効に吸収し易い箇所に必要量の肥料が施肥されていない状態になり易く、施肥状態によっては作物の根が肥料に直接触れて作物の根が濃度障害を起こすことがある、という問題がある。
【０００５】
また、前記畝成形作業機の種子を播種する構成では、畝成形体にて成形された畝に種子を散播した状態になり易いとともに、播種を必要としない畝溝部にまで種子を散播した状態になり易く、これらの状態で成長した作物を中間管理機等で管理しづらいとともに、収穫機での収穫もしづらい、という問題がある。さらに、粉粒状の農薬を施用する構成では、施用量を多く必要とし、施用量に比べて農薬効果が得られないことがある、という問題がある。
【０００６】
本発明は、このような点に鑑みてなされたもので、畝の局所位置に被散布物を連続的に散布した状態で畝を連続的に確実に畝立て成形でき、被散布物は耕耘土の局所位置に散布する必要量でよく、また、被散布物が肥料であるときは畝に植え付けた作物が肥料を有効に吸収し易い局所に必要量を施肥でき、施肥効率が高く、作物の根が肥料に直接触れて作物の根が濃度障害を起こすことを防止でき、さらに、被散布物が種子であるときは畝の局所位置に種子を連続的に播種した状態で畝を連続的に確実に畝立て成形でき、また、被散布物が農薬であるときは十分な農薬効果が得られる畝立て局所散布機を提供することを目的とするものである。
【０００７】
【課題を解決するための手段】
請求項１記載の畝立て局所散布機は、機体と、この機体に設けられたミッション装置と、前記機体に回転可能に設けられ前記ミッション装置からの出力により回転駆動される耕耘ロータリーと、前記機体に設けられ前記耕耘ロータリーにて耕耘された耕耘土を畝立て成形する畝成形体と、この畝成形体にて畝立て成形される耕耘土に被散布物を局所散布する散布装置とを具備し、前記散布装置は、前記機体に設けられ被散布物を収容するホッパーと、このホッパーに設けられこのホッパー内に収容された被散布物を導出する導出体と、この導出体の導出部に設けられこの導出体から導出される被散布物を前記畝成形体にて畝立て成形される耕耘土中に局所散布する散布体とを有し、前記散布体は、この散布体の下端部にこの散布体の進行方向に対して後方に向かって開口した散布口を有し、この散布口の上縁部に防土フラップを後方に向かって突出し、この散布口の下縁部に被散布物を局所散布する位置を水平状に整地する水平状の整地面を形成したものである。
【０００８】
そして、機体に設けたミッション装置からの出力により機体に設けた耕耘ロータリーが回転駆動されると、この耕耘ロータリーにて圃場の土が順次耕耘されるとともに、これら耕耘土が畝成形体に向かって順次送り出される。また、耕耘ロータリーが回転駆動されるとともに、散布装置のホッパー内から導出体に被散布物が導出され、この導出体にて被散布物が導出部に導出され、この導出部に設けた散布体から被散布物が順次導出される。そして、耕耘ロータリーにて畝成形体に向かって順次送り出されてこの畝成形体にて畝立て成形される耕耘土に散布体から導出される被散布物がこの散布体にて順次局所散布され、この被散布物を局所散布した耕耘土が畝成形体にて順次畝立て成形される。したがって、散布体にて畝の局所位置に被散布物が連続的に散布された状態で畝成形体にて畝が連続的に確実に畝立て成形される。また、畝成形体にて畝立て成形される耕耘土に被散布物が連続的に局所散布されることにより、被散布物が耕耘土の局所位置に必要量だけ連続的に散布される。そして、被散布物が肥料であるときは十分な肥料効果が得られ、また、被散布物が種子であるときは畝の局所位置に種子を連続的に散布でき、被散布物が農薬であるときは十分な農薬効果が得られる。
【０００９】
また、耕耘土中に散布口から被散布物を散布するとき、防土フラップにて後方に向かって開口した散布口内に耕耘土が入り込むことを防止され、この散布口内に耕耘土が詰まるようなことがなく、耕耘土中に散布口から被散布物が確実に局所散布される。
【００１０】
請求項２記載の畝立て局所散布機は、請求項１記載の畝立て局所散布機において、防土フラップは、散布口の上縁部に軸支して上下方向に回動可能に突出したものである。
【００１１】
そして、耕耘土中の所定の深さ位置に散布体を埋入するとき、この散布体の散布口の上縁部に軸支した防土フラップが土圧を受けて支軸を中心として上方に向かって回動することにより、この防土フラップが耕耘土中の所定の深さ位置に散布体を埋入する抵抗になることが少なく、耕耘土中の所定の深さ位置に散布体が容易に埋入される。また、耕耘土中に散布口から被散布物を散布するとき、防土フラップが土圧を受けて支軸を中心として下方に向かって回動され散布口の上縁部に後方に向かって突出した状態でこの防土フラップにて後方に向かって開口した散布口内に耕耘土が入り込むことを防止され、この散布口内に耕耘土が詰まるようなことがなく、耕耘土中に散布口から被散布物が確実に局所散布される。
【００１２】
【発明の実施の形態】
以下、本発明の一実施の形態を図面を参照して説明する。
【００１３】
図１において、１は畝立て局所散布機で、この畝立て局所散布機１は、機体２と、この機体２に設けられたミッション装置３と、前記機体２に回転可能に設けられ前記ミッション装置３からの出力により回転駆動される耕耘ロータリー４と、前記機体２に設けられ前記耕耘ロータリー４にて耕耘された耕耘土を畝立て成形する畝成形体５と、この畝成形体５にて畝立て成形される耕耘土に被散布物を局所散布する散布装置６とを具備している。
【００１４】
そして、前記機体２は、前記畝立て局所散布機１の進行方向に対して左右方向に長手方向を有した中空パイプ状の主フレーム７を有し、この主フレーム７の両側部に前後方向に長手方向を有した連結フレーム８の中間部がそれぞれ相対して固定され、これら連結フレーム８の前端部にロワピン９がそれぞれ突出されている。
【００１５】
また、前記両側部の連結フレーム８の後端部に連結機体１０がそれぞれ取り付けられ、これら連結機体１０に連結板１１がそれぞれ固定されている。そして、前記両側部の連結機体１０の連結板１１間に後述するように前記畝成形体５が連結されるようになっている。
【００１６】
また、前記主フレーム７の中間部に前記ミッション装置３が設けられている。このミッション装置３は、前記主フレーム７の中間部に固定されたミッションケース１２を有し、このミッションケース１２にこのミッションケース１２に設けた軸受１３にて前後方向に長手方向を有した入力軸１４が回転可能に軸支されているとともに、前記ミッションケース１２及び前記主フレーム７内に出力軸１５が回転可能に軸支され、前記ミッションケース１２内に位置して前記入力軸１４の回転を前記出力軸１５に伝達する図示しない歯車機構が設けられている。
【００１７】
さらに、前記ミッションケース１２上に支持フレーム１６が固定され、この支持フレーム１６の上端部に前後方向に長手方向を有して連結片１７が略水平状に固定され、この連結片１７の前端部に連結ピン１８が挿脱可能に取り付けられている。
【００１８】
そして、前記両側部の連結フレーム８の前端部のロワピン９と前記連結片１７の前端部の連結ピン１８とによりトラクタの三点連結部に着脱可能に連結され、前記入力軸１４にトラクタのＰＴＯ軸が動力伝達軸を介して連結されるようになっている。
【００１９】
また、前記支持フレーム１６の上端部に支持アーム１９が固定され、この支持アーム１９に前記畝立て局所散布機１の進行方向に対して左右方向に長手方向を有した角パイブ状の取付フレーム２０が水平状に固定されている。
【００２０】
さらに、前記主フレーム７の両端部に上下方向に長手方向を有した伝動ケース２１及び図示しない支持側板がそれぞれ相対して固定され、この伝動ケース２１と図示しない支持側板の下端部間にこれらの下端部に設けられた軸受２２にて前記耕耘ロータリー４が回転可能に軸支されている。また、前記伝動ケース２１の上端部内に前記出力軸１５の軸端部が回転可能に突出されている。
【００２１】
つぎに、前記耕耘ロータリー４は、前記伝動ケース２１と図示しない支持側板の下端部に設けた軸受２２にて回転可能に軸支され前記畝立て局所散布機１の進行方向に対して左右方向に長手方向を有したロータリー軸２３と、このロータリー軸２３の周面にこのロータリー軸２３の軸方向に間隔をおいて突出された複数の爪ホルダー２４と、これに各爪ホルダー２４に着脱可能に取り付けられて前記ロータリー軸２３の周面に突出された耕耘爪２５とを有している。
【００２２】
また、前記伝動ケース２１の下端部内に前記ロータリー軸２３の一端部が回転可能に突出され、このロータリー軸２３の一端部にスプロケット２６が固定され、前記伝動ケース２１の上端部内に回転可能に突出された前記出力軸１５の軸端部にスプロケット２７が固定され、この出力軸１５の軸端部に固定したスプロケット２７と前記ロータリー軸２３の一端部に固定したスプロケット２６との間に無端チェーン２８が掛け回されている。
【００２３】
そして、前記ミッション装置３の出力軸１５から出力により前記スプロケット２６，２７及び無端チェーン２８を介して前記耕耘ロータリー４が図１矢印方向の反時計方向に向かって回転駆動されるようになっている。
【００２４】
また、前記伝動ケース２１と図示しない支持側板の上部間に前記耕耘ロータリー４の上方部分を被覆した固定カバー体２９が固定されている。この固定カバー体２９は、前記耕耘ロータリー４の上方部を被覆した天板部３０と、この天板部３０の両側端部に連続して形成され前記耕耘ロータリー４の側方部を被覆した側板部３１とを有している。
【００２５】
また、前記天板部３０の後端部にゴム板等の弾性部材にて形成された可動カバー板３２が固定され、この可動カバー板３２は前記耕耘ロータリー４の後方に位置してこの耕耘ロータリー４に対向する状態で垂設されている。
【００２６】
つぎに、前記機体２の両側部の連結機体１０に固定した連結板１１間に前記畝成形体５を支持する支持機構３３が連結されている。前記支持機構３３は、図２及び図３に示すように、前記連結機体１０の連結板１１間に固定された固定支枠３４と、この固定支枠３４に固定された支持フレーム３５と、この支持フレーム３５に支持する前記畝成形体５と、前記支持フレーム３５の両端側にそれぞれ回転可能に軸架されたゲージ輪３６とを有している。
【００２７】
そして、前記固定支枠３４は、前記連結機体１０の連結板１１間に連結され前記畝立て局所散布機１の進行方向に対して左右方向に長手方向を有した角パイプ状の固定部材３７を有し、この固定部材３７の両端部に支持アーム３８が平行に突出され、これら支持アーム３８に前記支持フレーム３５が水平状に支持固定されている。
【００２８】
また、前記支持フレーム３５は、前記畝立て局所散布機１の進行方向に対して左右方向に長手方向を有した中空角パイプにて形成され、この支持フレーム３５の両端側にそれぞれ支持側板３９がそれぞれ固定され、これら支持側板３９に固定した支軸４０に回動アーム４１がそれぞれ上下方向に回動可能に軸支されている。
【００２９】
また、前記両端側の支持側板３９に軸支した前記回動アーム４１の一端部に車軸４２がそれぞれ固定され、これら車軸４２に前記ゲージ輪３６がそれぞれ回転可能に軸架され、前記回動アーム４１の他端部に操作ハンドル４３を有する調節杆４４が回動可能に取り付けられている。
【００３０】
さらに、前記連結部材５７の両端部に前記調節杆４４を調整した位置に支持する調節杆支持体４５がそれぞれ固定され、これら調節杆支持体４５に前記調節杆４４がそれぞれ回動可能に支持されいる。前記調節杆支持体４５は雌ねじ孔を有し、前記調節杆４４は前記調節杆支持体４５の雌ねじ孔内に螺合した雄ねじ軸部を有している。
【００３１】
そして、前記操作ハンドル４３を回動操作することにより、この調節杆４４が前記調節杆支持体４５に対して進退されるとともに、この調節杆４４にて前記支軸４０を中心として前記回動アーム４１が回動され、この回動アーム４１にて前記ゲージ輪３６がそれぞれ高さ調節されるようになっている。
【００３２】
つぎに、前記耕耘ロータリー４の後方に位置して前記支持フレーム３５に２畝を成形する前記畝成形体５がそれぞれ並設されている。
【００３３】
前記畝成形体５は、前記耕耘ロータリー４にて耕耘された耕耘土を畝立て成形して下方に向かって拡開傾斜した畝の法面を成形する両側の法面成形板４６と、この両側の法面成形板４６の上端部間に上下方向に位置調節可能に固定され前記耕耘ロータリー４にて耕耘された耕耘土を畝立て成形して水平状の畝の上面を成形する上面成形板４７と、前記両側の法面成形板４６にそれぞれ固着されこの両側の法面成形板４６を前記支持フレーム３５に位置調節可能に固定する固定部材４８とを有し、この固定部材４８にて前記畝成形体５が前記支持フレーム３５に固定されている。
【００３４】
そして、前記両側の法面成形板４６は前端側に前方に向かって突出され耕耘土をこの両側の法面成形板４６間に誘導する誘導板部４９をそれぞれ有している。また、前記両側の法面成形板４６は前記上面成形板４７を上下方向に位置調節可能に固定する図示しない調節固定手段を有している。
【００３５】
また、前記上面成形板４７は前記両側の法面成形板４６に対して上下方向に位置調節して所定の位置に固定することにより、この上面成形板４７の位置により耕耘土を畝立て成形する畝の上面、すなわち畝が所定の高さに成形されるようになっている。
【００３６】
そして、前記両側の法面成形板４６と前記上面成形板４７とにより１畝が所定の高さに成形されるようになっている。そうして、１畝を成形する前記両側の法面成形板４６と前記上面成形板４７とを一組とした二組が前記支持フレーム３５に並設されて２畝を同時に成形するようになっている。また、前記隣接する法面成形板４６の間に２畝間の畝溝が成形されるようになっている。
【００３７】
さらに、前記支持フレーム３５の両端側に前記耕耘ロータリー４にて耕耘された耕耘土を前記２畝用の前記畝成形体５に向かって誘導する土誘導体５０がそれぞれ固定されている。
【００３８】
前記土誘導体５０は、前記畝成形体５より前方に向かって突出された本体５１をそれぞれ有し、これら本体５１の内側面に前記畝成形体５の外側の法面成形板４６の前端側から前方に向かって拡開傾斜し耕耘土を前記畝成形体５に向かって誘導する土誘導面５２がそれぞれ形成されている。
【００３９】
また、前記本体５１の後端側にこれら本体５１を前記支持フレーム３５に固定する固定部材５３をそれぞれ有し、この固定部材５３にて前記土誘導体５０が前記支持フレーム３５の両端側にそれぞれ固定されている。
【００４０】
つぎに、前記散布装置６は、図１に示すように、前記機体２に設けられ被散布物を収容するホッパー５４と、このホッパー５４に設けられこのホッパー５４内に収容された被散布物を導出する導出体５５と、この導出体５５の導出部に設けられこの導出体５５から導出される被散布物を前記畝成形体５にて畝立て成形される耕耘土に散布する散布体５６とを有し、この散布体５６は、前記畝成形体５側に設けられ被散布物を前記畝成形体５にて畝立て成形される耕耘土中に所定の深さに局所散布するようになっている。
【００４１】
そして、前記ホッパー５４は、前記２畝を成形する畝成形体５のそれぞれに対応して１畝を成形する畝成形体５毎に２個のホッパー５４を一組として前記取付フレーム２０に連結部材５７にてそれぞれ位置調節可能に並設固定されている。
【００４２】
また、１畝を成形する畝成形体５毎の一組の２個のホッパー５４は、同種の被散布物または異種の被散布物を収容し、これら被散布物は１畝の幅方向の両側に間隔をおいて１畝の長さ方向に２条がそれぞれ線状に局所散布されるようになっている。
【００４３】
前記各ホッパー５４は、上面に収容口を開口し被散布物を収容するホッパー本体５８と、このホッパー本体５８の収容口を開閉する蓋体５９と、前記ホッパー本体５８の下部に形成され被散布物を繰り出す繰出部６０と、この繰出部６０の下端部に前記導出体５５の上端部を繰出部６０に連通した状態に連結した連結部６１とをそれぞれ有し、前記各繰出部６０内に被散布物を繰り出す回転可能な繰出機構６２がそれぞれ設けられ、これら繰出機構６２は図示しない駆動源にて回転駆動されるようになっている。
【００４４】
また、前記各導出体５５は、図１及び図４に示すように、フレキシブルチューブ等の可撓性の中空導出管にてそれぞれ形成され、これら中空導出管の上端部が前記連結部６１に前記繰出部６０に連通した状態にそれぞれ連結され、これら中空導出管の下端部にこの中空導出管に連通した状態で前記散布体５６がそれぞれ嵌合固定されている。
【００４５】
また、前記各散布体５６は、図４及び図５に示すように、中空パイプにてそれぞれ形成され、これら散布体５６は、この散布体５６の下端部にこの散布体５６の進行方向に対して後方に向かって開口した散布口６３をそれぞれ有し、これら散布口６３の上縁部に防土フラップ６４が後方に向かってそれぞれ突出されている。
【００４６】
そして、前記各散布口６３は、後方に向かって開口した矩形状にそれぞれ形成され、これら矩形状の散布口６３の上縁部にこの散布口６３の上面を被覆する状態で前記防土フラップ６４が後方に向かってそれぞれ突出され、これら矩形状の散布口６３の下縁部に被散布物を局所散布する位置を水平状に整地する水平状の整地面６５がそれぞれ形成されている。
【００４７】
また、前記防土フラップ６４は、前記矩形状の散布口６３の上縁部に固定されて後方に向かってそれぞれ突出されている。
【００４８】
さらに、１畝を成形する畝成形体５毎の一組の２個のホッパー５４に設けて１畝の幅方向の両側に間隔をおいて１畝の長さ方向に被散布物を２条に局所散布する前記各散布体５６は、前記畝成形体５側にこの畝成形体５の進行方向に対して左右方向と上下方向との少なくとも一方に位置調節可能に設けられている。
【００４９】
すなわち、図２及び図４に示すように、前記支持フレーム３５に固定した各畝成形体５の上面成形板４７の上方に位置して前記支持フレーム３５に散布体支持機構６６がこの支持フレーム３５に対して上下方向にそれぞれ位置調節可能に取り付けられ、これら上下方向に位置調節可能な散布体支持機構６６に前記各散布体５６を支持したホルダー６７がこの散布体支持機構６６に対して左右方向にそれぞれ位置調節可能に取り付けられている。
【００５０】
前記散布体支持機構６６は、ブラケット６８と、当接板６９と、複数のボルト・ナット７０と、前記ホルダー６７とを有している。
【００５１】
そして、前記ブラケット６８は、矩形状の基板７１を有し、この基板７１の一端部に前記支持フレーム３５の一面側に当接する第１の調節板７２が上方に向かって垂直状に一体に突出され、この第１の調節板７２に上下方向に間隔をおいて左右一対の複数のボルト挿通孔７３がそれぞれ形成されている。また、前記基板７１の他端部に前記ホルダー６７を取り付ける第２の調節板７４が上方に向かって垂直状に一体に突出され、この第２の調節板７４に左右方向に間隔をおいて複数のボルト挿通孔７５がそれぞれ形成されている。
【００５２】
また、前記当接板６９は、前記支持フレーム３５の他面側に当接するもので矩形状に形成され、この当接板６９に上下に前記第１の調節板７２の左右一対の複数のボルト挿通孔７３に連通する左右一対のボルト挿通孔７６がそれぞれ形成されている。
【００５３】
さらに、前記ホルダー６７は、前記散布体５６を挿通する筒状本体７７を有し、この筒状本体７７にこの筒状本体７７の内径を開閉可能に突出した締付板７８が相対して形成され、この相対する締付板７８を締め付け固定するボルト・ナット７９が設けられている。
【００５４】
また、前記筒状本体７７に前記第２の調節板７４に当接する多角形状の当接部８０が固定され、この当接部８０に前記第２の調節板７４に形成した複数のボルト挿通孔７５の選択した一つに挿通するボルト８１が突出され、このボルト８１にナット８２が螺着されるようになっている。
【００５５】
そして、前記支持フレーム３５の一面側に前記ブラケット６８の第１の調節板７２を上下方向に位置を調節して当接するとともに、前記支持フレーム３５の他面側に前記当接板６９を当接し、この当接板６９の各ボルト挿通孔７６から第１の調節板７２の選択した位置の各ボルト挿通孔７３に前記複数のボルト・ナット７０の各ボルト８１を挿通し、これら各ボルト８１にナット８２をそれぞれ締め付けることにより、前記支持フレーム３５に前記ブラケット６８が上下方向に調節設定した位置で固定される。
【００５６】
また、前記支持フレーム３５に前記ブラケット６８が上下方向に位置が調節されることにより、このブラケット６８に設けた各ホルダー６７に支持される前記各散布体５６が上下方向に位置が調節され、前記支持フレーム３５に前記ブラケット６８が位置固定されるとともに、ブラケット６８に設けた各ホルダー６７に支持される前記各散布体５６が位置固定され、この各散布体５６にて被散布物が耕耘土中に所定の深さに線状に局所散布されるようになっている。
【００５７】
また、前記ブラケット６８の第２の調節板７４の選択した位置のボルト挿通孔７５に前記所定の間隔をおいて離間した各ホルダー６７のボルト８１をそれぞれ挿通し、これらボルト８１にナット８２をそれぞれ締め付けることにより、第２の調節板７４に各ホルダー６７がそれぞれ左右方向に調節設定した位置で固定される。
【００５８】
また、各ホルダー６７が所定の間隔をおいて離間した状態で左右方向に位置が調節されることにより、これらホルダー６７に支持された前記各散布体５６が左右方向に位置が調節され、第２の調節板７４に各ホルダー６７がそれぞれ位置固定されることにより、これらホルダー６７に支持された前記各散布体５６がそれぞれ位置固定され、この各散布体５６にて被散布物が耕耘土中に所定の間隔でかつ所定の深さに局所散布されるようになっている。
【００５９】
なお、各散布体５６は前記畝成形体５の進行方向に対して必要に応じて左右方向と上下方向とにそれぞれ設定位置を調節し、また、各散布体５６は前記畝成形体５の進行方向に対して必要に応じて左右方向と上下方向との一方に設定位置を調節してもよく、さらに、各散布体５６のうちの一方の散布体５６を必要に応じて左右方向と上下方向とにそれぞれ設定位置を調節し、また、その一方の散布体５６を左右方向と上下方向との一方に設定位置を調節してもよい。
【００６０】
また、各ホルダー６７の筒状本体７７内に前記散布体５６がそれぞれ挿通された状態で相対する締付板７８がボルト・ナット７９にて締め付け固定され、各ホルダー６７の筒状本体７７内に前記散布体５６がそれぞれ固定され、この各ホルダー６７の筒状本体７７にて前記散布体５６がそれぞれ支持されている。そして、この状態で各散布体５６が前記畝成形体５の進行方向に対して左右方向と上下方向との少なくとも一方に設定位置が調節されるようになっている。
【００６１】
前記被散布物は、粉状肥料、粒状肥料、各種作物の種子、粉状薬剤、粒状薬剤、土壌改良剤などで畝成形体５にて畝立て成形される耕耘土中に局所散布し、作物の生産性の向上に寄与できるものである。
【００６２】
つぎに、前記実施の形態の作用を説明する。
【００６３】
トラクタの左右のロワリンクに機体２の左右のロワピン９を連結し、トラクタのトップリンクに機体２の連結片１７を連結ピン１８にて連結し、トラクタのＰＴＯ軸に動力伝達軸を介して機体２に設けたミッション装置３の入力軸１４をスプライン嵌合により連結する。
【００６４】
また、１畝を成形する畝成形体５毎の一組の２個のホッパー５４内に同種の被散布物または異種の被散布物を収容する。また、被散布物の種類等に応じて畝成形体５側に設けた散布体５６を畝成形体５の進行方向に対して左右方向または上下方向に位置調節してこの散布体５６の散布口６３を畝成形体５にて畝立て成形される耕耘土の所定の位置または耕耘土中に所定の深さ位置に設定した上でこれら散布体５６を支持フレーム３５に固定する。
【００６５】
また、各畝成形体５の上面成形板４７を上下方向に位置調節してこの上面成形板４７を畝成形体５の両側の法面成形板４６の所定の位置に固定することにより、これら両側の法面成形板４６と上面成形板４７とにより所定の形態の畝を成形する畝成形体５が形成される。
【００６６】
さらに、操作ハンドル４３にて調節杆４４を回動操作すると、この調節杆４４が調節杆支持体４５に対して進退動されるとともに、この調節杆４４にて回動アーム４１が支軸４０を中心として上下方向に回動され、この回動アーム４１の車軸４２に軸架したゲージ輪３６が上下動される。
【００６７】
そして、このゲージ輪３６にて機体２の連結機体１０に上下動可能に連結した支持機構３３の支持フレーム３５に設けた各畝成形体５が所定の高さの畝を成形する位置にそれぞれ高さ規制されるとともに、支持フレーム３５の両端側に設けた土誘導体５０がそれぞれ高さ規制される。
【００６８】
つぎに、トラクタにて畝立て局所散布機１が牽引されて進行されるとともに、このトラクタのＰＴＯ軸からの出力により動力伝達軸を介して機体２に設けたミッション装置３の入力軸１４が回転されると、この入力軸１４の回転で歯車機構を介して出力軸１５が回転される。
【００６９】
そして、この出力軸１５の回転により伝動ケース２１内に設けたスプロケット２６，２７及び無端チェーン２８を介して耕耘ロータリー４が図１矢印方向の反時計方向に向かって回転駆動されながら進行され、この耕耘ロータリー４の各耕耘爪２５にて圃場の土が順次耕耘されるとともに、これら耕耘土が各畝成形体５に向かって順次送り出される。
【００７０】
また、耕耘ロータリー４が回転駆動されるとともに、散布装置６の各ホッパー５４の繰出部６０内に設けた繰出機構６２が駆動源にてそれぞれ回転され、これら繰出機構６２にてそれぞれのホッパー５４内に収容した被散布物が繰出部６０内から導出体５５に順次導出され、これら導出体５５にて被散布物がそれぞれ導出部に導出され、これら導出部に設けた散布体５６から被散布物が順次導出される。
【００７１】
そして、耕耘ロータリー４の各耕耘爪２５にて各畝成形体５に向かって順次送り出される耕耘土が支持フレーム３５の両端側に設けた土誘導体５０の土誘導面５２にて各畝成形体５に向かって誘導される。
【００７２】
また、各畝成形体５にて畝立て成形される耕耘土に各散布体５６の散布口６３から導出される被散布物がこれら散布体５６にて順次局所散布され、この被散布物を局所散布した耕耘土が各畝成形体５にて順次畝立て成形される。すなわち、これら各畝成形体５の両側部の法面成形板４６にて下方に向かって拡開傾斜した状態に成形された法面及び上面成形板４７にて水平状に成形された上面を有する所定の高さの２畝が同時に成形される。
【００７３】
このとき、各散布体５６が、図６に示すように、各畝成形体５にて畝立て成形される耕耘土中に所定の深さに挿入された状態で進行されることにより、これら散布体５６の散布口６３の整地面６５にて耕耘土が水平状に順次整地されるとともに、これら耕耘土中に整地された水平状の２条の整地部上に各散布口６３から被散布物がそれぞれ所定の深さに確実に局所散布される。
【００７４】
また、耕耘土中に整地された整地部上に被散布物がそれぞれ所定の深さに局所散布され、これら被散布物を局所散布した耕耘土が各畝成形体５にて順次畝立て成形されることにより、被散布物が畝立て成形された畝の土中に所定の深さに連続的に局所散布された状態で安定し、これら被散布物が風等によって飛散されることを防止される。
【００７５】
そして、被散布物が肥料であるときは畝の土中に所定の深さで十分な肥料効果が得られる状態で畝が連続的に確実に畝立て成形され、また、被散布物が種子であるときは畝の土中の発芽し易い位置に種子を連続的に局所散布した状態で畝が連続的に確実に畝立て成形され、さらに、被散布物が農薬であるときは十分な農薬効果が得られる状態で畝が連続的に確実に畝立て成形される。
【００７６】
また、１畝において、図６に示すように、２本の散布体５６が１畝の幅方向の両側に所定の間隔をおいて耕耘土中に所定の深さに挿入された状態で進行されることにより、この２本の散布体５６の散布口６３から被散布物が畝の幅方向の両側の土中に所定の深さで局所散布される。
【００７７】
そして、２本の散布体５６の散布口６３から局所散布される被散布物が肥料であるときは、これら肥料を避けた畝の位置に種子を播種したり作物の苗を植え付けることにより、これら種子または作物の苗の根が肥料に直接触れることがなく、種子または作物の苗の根が肥料に直接触れて濃度障害を起こすことを防止できる。
【００７８】
また、２本の散布体５６の散布口６３から散布される被散布物が種子であるときは、この２本の散布体５６の散布口６３から種子が畝の幅方向の両側の土中に所定の深さで局所散布される。また、２本の散布体５６の散布口６３から散布される被散布物が農薬であるときは、この２本の散布体５６の散布口６３から農薬が畝の幅方向の両側の土中に所定の深さで局所散布される。
【００７９】
さらに、各散布体５６は、これら散布体５６の下端部にこれら散布体５６の進行方向に対して後方に向かって開口した散布口６３をそれぞれ有し、これら散布口６３の上縁部に防土フラップ６４がそれぞれ後方に向かって突出されていることにより、耕耘土中に各散布口６３から被散布物を局所散布するとき、各防土フラップ６４にて後方に向かって開口したそれぞれの散布口６３内に耕耘土が入り込むことを防止され、これら散布口６３内に耕耘土が詰まるようなことがなく、耕耘土中に各散布口６３から被散布物が確実に局所散布される。
【００８０】
したがって、各散布体５６の散布口６３にて畝の局所位置に被散布物が連続的に局所散布された状態で各畝成形体５にて２畝がそれぞれ連続的に確実に畝立て成形される。そして、各畝成形体５にて畝立て成形される耕耘土に被散布物が連続的に局所散布されることにより、被散布物が耕耘土の所定の位置に必要量だけ連続的に局所散布される。
【００８１】
つぎに、１畝を成形する畝成形体５毎の一組の２個のホッパー５４内に同種の被散布物を収容した場合において、これら２個のホッパー５４に導出体５５を介して連通接続した散布体５６にてホッパー５４内の被散布物を、畝成形体５にて１畝を成形される耕耘土にまたは耕耘土中に所定の深さに１畝の幅方向の両側に間隔をおいて２条局所散布する場合について説明したが、これに限らず、被散布物の種類等によっては、被散布物は畝成形体５にて１畝を成形される耕耘土にまたは耕耘土中に所定の深さに１条局所散布するようにしてもよい。
【００８２】
この場合は、図７（ａ）  に示すように、１畝を成形する畝成形体５毎の一組の２個のホッパー５４のうち一方のホッパー５４の繰出機構６２の作動を停止し、他方のホッパー５４の繰出機構６２のみを作動する。これにより、他方のホッパー５４の繰出機構６２から繰り出される被散布物が散布体５６にて畝成形体５により１畝を成形される耕耘土にまたは耕耘土中に所定の深さに１条局所散布される。
【００８３】
また、１畝を成形する畝成形体５側の一組の２個のホッパー５４内には同種の被散布物を収容し、他の１畝を成形する畝成形体５側の一組の２個のホッパー５４内には前記１畝を成形する畝成形体５側の２個のホッパー５４内に収容する被散布物とは異なる異種の被散布物を収容した場合において、これら互いに異なる同種の被散布物と異種の被散布物とを他の畝側に分配し、畝成形体５にて１畝を成形される耕耘土にまたは耕耘土中に所定の深さに１畝の幅方向に間隔をおいて互いに異なる被散布物を２条局所散布するようにしてもよい。
【００８４】
この場合、図７（ｂ）  に示すように、１畝側の２個のホッパー５４のうちの１個のホッパー５４内の被散布物を局所散布する散布体５６は他の１畝側の散布体支持機構６６のブラケット６８に取り付け、これと逆に、他の１畝側の２個のホッパー５４のうちの１個のホッパー５４内の被散布物を局所散布する散布体５６は１畝側の散布体支持機構６６のブラケット６８に取り付ける。
【００８５】
これにより、互いに異なる同種の被散布物と異種の被散布物とが他の畝側に分配され、畝成形体５にて１畝を成形される耕耘土にまたは耕耘土中に所定の深さに１畝の幅方向に間隔をおいて互いに異なる被散布物が２条局所散布される。
【００８６】
この場合、１畝側の２個のホッパー５４には、たとえば、被散布物となる肥料を収容し、他の１畝側の２個のホッパー５４には、被散布物となる作物の種子を収容することにより、畝成形体５にて１畝を成形される耕耘土にまたは耕耘土中に所定の深さに１畝の幅方向の両側に肥料と種子が同時に局所散布される。
【００８７】
また、肥料と種子に限らず、１畝側の２個のホッパー５４と他の１畝側の２個のホッパー５４とには、たとえば、異なる肥料等、異なる作物の種子等をそれぞれ収容するようにしてもよい。
【００８８】
さらに、１畝を成形する畝成形体５側の一組の２個のホッパー５４内に収容した被散布物は、畝成形体５にて１畝を成形される耕耘土にまたは耕耘土中に所定の深さで互いに異なる位置に局所散布するようにしてもよい。
【００８９】
この場合は、図７（ｃ）  に示すように、１畝を成形する畝成形体５側の一組の２個のホッパー５４に導出体５５を介して連通接続した２本の散布体５６は、それぞれのホルダー６７に対してそれぞれの散布口６３の位置が互いに異なる散布位置となるように上下方向に位置調節してそれぞれのホルダー６７に固定する。
【００９０】
そして、畝成形体５にて１畝を成形される耕耘土にまたは耕耘土中に所定の深さで互いに異なる散布位置に２本の散布体５６にて被散布物が局所散布される。この場合、被散布物は同種でも異種でもよく、また、被散布物が肥料であるときは同種の肥料でも異種の肥料でもよく、即効性肥料と遅効性肥料とであってもよく、さらに、被散布物が種子であるときは同種の種子でも異種の種子でもよく、収穫時期が同期でも異なる時期の作物の種子であってもよく、また、被散布物が農薬であるときは同種の農薬でも異種の農薬でもよい。
【００９１】
つぎに、前記実施の形態では、各散布体５６の散布口６３の上縁部に防土フラップ６４を後方に向かって突出固定した場合について説明したが、これに限らず、防土フラップ６４は各散布体５６の散布口６３の上縁部に軸支して上下方向に回動可能に突出した構成としてもよい。
【００９２】
この場合は、図８に示すように、各散布体５６の散布口６３の上縁部にこの散布口６３の幅方向に長手方向を有した支軸８３を軸支し、この支軸８３の下方で前記散布口６３の上部に位置して前記散布口６３の開口縁部に前記防土フラップ６４のストッパー８４を固定し、前記支軸８３にこの支軸８３を中心として前記防土フラップ６４を上下方向に回動可能に軸支し、前記ストッパー８４に当接して下方に向かって傾斜した状態に軸支させた状態で防土フラップ６４を散布口６３の上縁部に上下方向に回動可能に後方に向かって突出した構成とする。
【００９３】
その他の構成は前記実施の形態の場合と同様であるから前記実施の形態と同一構成については前記実施の形態の説明に用いた符号を記入してその説明を省略する。
【００９４】
このように構成することにより、耕耘土中の所定の深さ位置に各散布体５６を埋入するとき、これら散布体５６の散布口６３の上縁部に支軸８３にて軸支した防土フラップ６４が土圧を受けて支軸８３を中心として上方に向かって回動することにより、これら防土フラップ６４が耕耘土中の所定の深さ位置に各散布体５６を埋入する抵抗になることが少なく、耕耘土中の所定の深さ位置に各散布体５６が容易に埋入される。
【００９５】
また、耕耘土中に各散布体５６の散布口６３から被散布物を局所散布するとき、各防土フラップ６４が土圧を受けて支軸８３を中心として下方に向かって回動されてストッパー８４に当接して支持され、これら防土フラップ６４がそれぞれの散布口６３の上縁部に後方に向かって突出した状態でこれら防土フラップ６４にて後方に向かって開口した散布口６３内に耕耘土が入り込むことを防止され、これら散布口６３内に耕耘土が詰まるようなことがなく、耕耘土中に各散布口６３から被散布物が確実に局所散布される。
【００９６】
つぎに、図９乃至図１１に示す実施の形態は、前記実施の形態において、前記畝成形体５にて畝立て成形した畝Ａの表面にこの畝Ａの表面を被覆するフィルムＦを供給するフィルム供給体８５を設けて畝立てマルチ作業機８６を構成したものである。
【００９７】
前記畝立てマルチ作業機８６は、図９に示すように、前記機体２の連結機体１０に連結された作業機本体８７を有し、この作業機本体８７に前記畝成形体５にて畝立て成形した畝Ａの表面にこの畝Ａの表面を被覆するフィルムＦを供給するフィルム供給体８５が設けられ、このフィルム供給体８５の後方に位置して前記作業機本体８７に畝Ａの表面を被覆したフィルムＦを押さえるフィルム押え輪８８が回転可能に設けられている。
【００９８】
また、前記２畝成形用の畝成形体５の間の畝溝部Ｂに対応した位置に位置して前記作業機本体８７に前記耕耘ロータリー４にて耕耘された耕耘土の一部を搬入して後上方に向かって搬送するコンベヤ装置８９が設けられ、このコンベヤ装置８９にこのコンベヤ装置８９から搬出される耕耘土を畝Ａの表面を被覆したフィルムＦ上に落下させるシュート９０が設けられ、前記畝溝部Ｂの土を切削して掻き集める集土体９１が上下方向に回動可能に設けられ、前記ミッション装置３からの出力を前記コンベヤ装置８９に伝達してこのコンベヤ装置８９を駆動させる駆動手段９２が設けられている。
【００９９】
そして、前記作業機本体８７は、前記連結機体１０に連結された連結枠体９３を有し、この連結枠体９３に前後方向に長手方向を有した複数の支持フレーム９４が固定され、これら支持フレーム９４に支持杆９５が水平状に固定され、この支持杆９５の前側に固定された上下方向に長手方向を有した第１の支持アーム９６に前記フィルム供給体８５が支持されている。また、前記支持杆９５の後側に固定された上下方向に長手方向を有した第２の支持アーム９７に前記フィルム押え輪８８が回転可能に軸架されている。
【０１００】
また、前記フィルム供給体８５は、前記第１の支持アーム９６に支持されたコ字形状の支持枠９８を有し、この支持枠９８に繰出軸９９が回転可能に軸支され、この繰出軸９９にフィルムＦを巻回したフィルムロール１００  が軸支され、この繰出軸９９の回転でフィルムロール１００  からフィルムＦが巻き戻されて畝Ａの表面に向かって繰り出されるようになっている。
【０１０１】
また、前記コンベヤ装置８９は、前記作業機本体８７に後上方に向かって傾斜して配置固定されたコンベヤフレーム１０１  を有し、このコンベヤフレーム１０１  の下端部に従動輪１０２  が回転可能に軸支され、前記コンベヤフレーム１０１  の上端部に駆動輪１０３  を固定した駆動軸１０４  が回転可能に軸支され、前記従動輪１０２  と駆動軸１０４  との間に耕耘土を搬入して搬送する無端搬送体１０５  が回行可能に掛け回されている。
【０１０２】
さらに、前記集土体９１は、図１０及び図１１に示すように、前記支持フレーム３５の両端側の前記ゲージ輪３６が走行する畝溝部Ｂに対応した位置に位置して前記支軸４０にそれぞれ上下方向に回動可能に軸支され、この両端側の集土体９１は連動杆１０６  の両端部に固定された固定板１０７  に連結固定されている。また、前記２畝成形用の畝成形体５の間の畝溝部Ｂに対応した位置に位置して前記連動杆１０６  に集土体９１が上下方向に回動可能に軸支されている。
【０１０３】
前記支持フレーム３５の両端側の集土体９１は、図１１に示すように、前記支軸４０に上下方向に回動可能に軸支された集土アーム１０８  と、この集土アーム１０８  の先端部に固定され畝溝部Ｂを切削する切削刃１０９  とを有している。また、前記支軸４０に軸支された前記回動アーム４１に下方に向かって取付片１１０  が突出され、この取付片１１０  と前記集土アーム１０８  の先端部との間にコイルスプリング１１１  が張設されている。
【０１０４】
また、前記駆動手段９２は、前記固定カバー体２９上に固定された第１の伝動ケース１１２  を有し、この第１の伝動ケース１１２  の下端部内に前記入力軸１４に固定された駆動プーリ１１３  が設けられ、この第１の伝動ケース１１２  の上端部内に連動プーリ１１４  を固定した出力軸１１５  が回転可能に軸支され、前記駆動プーリ１１３  と連動プーリ１１４  との間に無端ベルト１１６  が掛け回されている。
【０１０５】
また、前記出力軸１１５  に第２の伝動ケース１１７  内に回転可能に軸支された連動軸１１８  の一端部がユニバーサルジョイント１１９  にて連結され、この連動軸１１８  の他端部にユニバーサルジョイント１２０  にて前記コンベヤ装置８９の駆動軸１０４  の一端部が連結されている。
【０１０６】
その他の構成は前記実施の形態の場合と同様であるから前記実施の形態と同一構成については前記実施の形態の説明に用いた符号を記入してそれらの説明を省略する。
【０１０７】
このように構成することにより、前記実施の形態の場合と同様に圃場の土が耕耘ロータリー４にて耕耘され、この耕耘土に散布装置６の散布体５６にて被散布物が順次局所散布され、この被散布物を局所散布した耕耘土が各畝成形体５にて畝立て成形される。
【０１０８】
また、耕耘ロータリー４が回転駆動されるとともに、この耕耘ロータリー４に出力した入力軸の回転で駆動プーリ１１３  、連動プーリ１１４  及び無端ベルト１１６  を介して出力軸１１５  が回転され、この出力軸１１５  にて連動軸１１８  が回転されるとともに、この連動軸１１８  の連結したコンベヤ装置８９の駆動軸１０４  が回転駆動され、この駆動軸１０４  にてコンベヤ装置８９の無端搬送体１０５  の搬送面が後上方に向かって回行される。
【０１０９】
また、畝成形体５にて畝立て成形されるとともに、これら畝Ａの畝溝部Ｂが各集土体９１の切削刃１０９  にて順次切削されて集土され、この集土量が所定量に盛り上がると、この集土塊の抵抗により各集土体９１がコイルスプリング１１１  に抗して支軸４０を中心として上方に向かって回動され、各集土体９１の切削刃１０９  が集土塊を乗り越えるとともに、コイルスプリング１１１  の復帰力により各集土体９１が支軸４０を中心として下方に向かって回動され、この各集土体９１の切削刃１０９  にて再び畝溝部Ｂが順次切削されて集土される。そして、これらの動作を各集土体９１が繰り返し、各畝溝部Ｂには所定の間隔で集土塊が順次形成される。
【０１１０】
また、各畝成形体５にて畝立て成形されるとともに、これら畝Ａの表面及び各畝溝部Ｂの表面にフィルム供給体８５から繰出されるフィルムＦが順次供給され、このフィルムＦにて各畝Ａの表面及び各畝溝部Ｂの表面が被覆されるとともに、このフィルムＦが各畝溝部Ｂにおいて各フィルム押え輪８８にて順次押さえ付けられる。
【０１１１】
さらに、耕耘ロータリー４にて耕耘されて耕耘土の一部がコンベヤ装置８９の無端搬送体１０５  の搬送面上に順次搬入されるとともに、この無端搬送体１０５  の搬送面にて後上方に向かって順次搬送され、これら搬送面上の耕耘土がコンベヤ装置８９の搬出部に設けた貯留体に貯留され、この貯留体に所定量の耕耘土が貯留されると、この貯留体を作動させてこの貯留体に貯留された所定量の耕耘土が所定の大きさの土塊Ｃとしてシュート９０にて各畝溝部Ｂを被覆した位置のフィルムＦ上に順次断続的に落下される。
【０１１２】
そして、これら土塊Ｃにて畝Ａの表面及び各畝溝部Ｂの表面を被覆したフィルムＦが押さえ付けられ、このフィルムＦが風雨等によって畝Ａの表面からめくりとられることを防止できる。また、フィルムＦに被覆された各畝溝部Ｂにて所定の間隔で集土塊が形成されていることにより、これら集土塊にてフィルムＦ上に落下された土塊Ｃが雨水等によって流れ出すことを防止できる。
【０１１３】
したがって、葉菜類等の作物をマルチ栽培する畝が連続的に畝立て成形され、これら畝により葉菜類等の作物をマルチ栽培することができる。
【０１１４】
なお、この実施の形態の場合も各散布体５６にて局所散布される被散布物は前記実施の形態の場合と同様である。
【０１１５】
また、前記各実施の形態において被散布物は、粉状肥料、粒状肥料、各種作物の種子、粉状薬剤、粒状薬剤、土壌改良剤の外に液体肥料、薬液などであって、これらが畝成形体５にて畝立て成形される耕耘土中に局所散布されることにより、作物の生産性の向上に寄与できるものである。
【０１１６】
なお、被散布物の局所散布は、被散布物を全面散播するものと区別するもので、間断なく連続的に線状に局所散布する場合に限らず、断続的に線状に局所散布するようにしてもよい。
【０１１７】
また、前記各実施の形態では、畝成形体５に畝立て成形される畝に対して２本の散布体５６を用いる場合について説明したが、これに限らず、畝成形体５に畝立て成形される畝に対して１本の散布体５６を用いて被散布物を局所散布してもよく、畝成形体５に畝立て成形される畝の幅によっては畝成形体５側に３本以上の散布体５６を用いて被散布物を局所散布するようにしてもよい。
【０１１８】
また、前記各実施の形態では、支持機構３３の支持フレーム３５に２畝を畝立て成形する畝成形体５を並設する場合について説明したが、これに限らず、支持機構３３の支持フレーム３５に１畝を畝立て成形する畝成形体５を設けるようにしてもよく、また、支持機構３３の支持フレーム３５に３畝以上の畝を畝立て成形する複数の畝成形体５を並設するようにしてもよい。これらの場合は、１畝を畝立て成形する畝成形体５側に１本または複数本の散布体５６を設ける。
【０１１９】
さらに、前記各実施の形態において、１畝に異種の被散布物を局所散布する場合は１個のホッパー５４内を異種の被散布物を収容可能に仕切板にて仕切り、これら仕切板にて仕切られた収容部内に異種の被散布物をそれぞれ収容し、これら収容部内から導出し被散布物を散布体５６にて局所散布するようにしてもよい。
【０１２０】
【発明の効果】
請求項１の発明によれば、散布体にて畝の所定の位置に被散布物を連続的に局所散布した状態で畝成形体にて畝を連続的に確実に畝立て成形することができ、また、畝成形体にて畝立て成形される耕耘土に被散布物を連続的に局所散布することにより、被散布物は耕耘土の所定の位置に必要量だけ局所散布すればよく、散布効率を向上することができる。また、被散布物が肥料であるときは畝に植え付けた作物が肥料を有効に吸収し易い局所位置に確実に施肥でき、十分な肥料効果が得られ、作物の根が肥料に直接触れて作物の根が濃度障害を起こすことを防止でき、また、被散布物が種子であるときは畝の局所位置に種子を確実に播種でき、さらに、被散布物が農薬であるときは十分な農薬効果が得られる。さらに、散布装置の構成が簡単で、この散布装置を耕耘ロータリー及び畝成形体を備えた既存の畝立て作業機に設けて畝立て局所散布機とすることも容易である。また、耕耘土中に散布口から被散布物を局所散布するとき、防土フラップにて後方に向かって開口した散布口内に耕耘土が入り込むことを防止でき、この散布口内に耕耘土が詰まるようなことがなく、耕耘土中に散布口から被散布物を所定の位置に確実に局所散布できる。
【０１２１】
請求項２の発明によれば、耕耘土中の所定の深さ位置に散布体を埋入するとき、防土フラップが耕耘土中の所定の深さ位置に散布体を埋入する抵抗になることが少なく、耕耘土中の所定の深さ位置に散布体を容易に埋入することができる。また、耕耘土中に散布口から被散布物を局所散布するとき、防土フラップが散布口の上縁部に後方に向かって突出した状態でこの防土フラップにて後方に向かって開口した散布口内に耕耘土が入り込むことを防止でき、この散布口内に耕耘土が詰まるようなことがなく、耕耘土中に散布口から被散布物を所定の深さ位置に確実に局所散布できる。
【図面の簡単な説明】
【図１】本発明の一実施の形態を示す畝立て局所散布機の側面図である。
【図２】同上畝成形体を支持した支持機構を示す拡大平面図である。
【図３】同上側面図である。
【図４】同上散布体を支持した散布体支持機構を示す拡大斜視図である。
【図５】同上散布体の一部を示す拡大斜視図である。
【図６】同上畝立て成形状態を示す畝の拡大断面図である。
【図７】同上（ａ）  は１畝に１条局所散布する状態を示す説明図、（ｂ）  は異種の被散布物を分配して１畝に異種の被散布物を２条局所散布する状態を示す説明図、（ｃ）  は局所散布位置を上下に異ならせて１畝に２条局所散布する状態を示す説明図である。
【図８】他の実施の形態を示す散布体の一部を示す拡大斜視図である。
【図９】更に他の実施の形態を示す畝立て局所散布機の側面図である。
【図１０】同上畝成形体を支持した支持機構を示す拡大平面図である。
【図１１】同上側面図である。
【符号の説明】
２    機体
３    ミッション装置
４    耕耘ロータリー
５    畝成形体
６    散布装置
５４    ホッパー
５５    導出体
５６    散布体
６３    散布口
６４    防土フラップ
【図１】
0003586677.tif 000002
【図２】
0003586677.tif 000003
【図３】
0003586677.tif 000004
【図４】
0003586677.tif 000005
【図５】
0003586677.tif 000006
【図６】
0003586677.tif 000007
【図７】
0003586677.tif 000008
【図８】
0003586677.tif 000009
【図９】
0003586677.tif 000010
【図１０】
0003586677.tif 000011
【図１１】
0003586677.tif 000012